(57)【要約】【課題】今まで視聴していたブラウン管テレビより大型の表示面を有する薄型テレビを購入した場合においても、この薄型テレビを既存の収納箱に収納することができる薄型表示装置を提供する。【解決手段】前側に表示面を有する表示部１と、該表示部１を起立状態で上下動を可能に支持するスタンド２とを備え、該スタンド２と表示部１との間に荷重受体３１を取外し可能に配置し、該荷重受体３１によりスタンド２の下面より上の上位置に表示部１を位置させ、荷重受体３１を取外すことによりスタンド２の下面より下の下位置に表示部１を位置させるようにした。【選択図】図１
2008072623.tif 000002
【特許請求の範囲】
【請求項１】
前側に表示面を有する表示部と、該表示部を起立状態で支持するスタンドとを備える薄型表示装置において、前記表示部の少なくとも下部は前記スタンドの前縁より前側に配置してあり、該表示部を前記スタンドの下面より上の位置、及びスタンドの下面より下の位置へ移動させるための移動手段を備えることを特徴とする薄型表示装置。
【請求項２】
前記表示部は前記スタンドに上下動を可能に支持されており、前記移動手段は、前記スタンドと表示部との間に取外しを可能に配置してある荷重受体を有する請求項１記載の薄型表示装置。
【請求項３】
前記荷重受体は前記表示部及びスタンドの一方に横方向への移動を可能に保持されているピンを用いてある請求項２記載の薄型表示装置。
【請求項４】
前記移動手段は前記表示部及びスタンドの一方に回転を可能に保持されている回転体と、該回転体の回転により前記表示部を上下に相対移動させる移動部とを有する請求項１記載の薄型表示装置。
【請求項５】
前記回転体を回転させる電動モータを備える請求項４記載の薄型表示装置。
【発明の詳細な説明】
【技術分野】
【０００１】
本発明は液晶表示装置、プラズマ表示装置等の薄型表示装置に関する。
【背景技術】
【０００２】
液晶テレビ等の薄型表示装置は、前側に表示面を有する表示部と、該表示部の後側に複数本のボルトにより取着され、表示部を起立状態で支持したスタンドとを備え、表示部の上下位置が固定されている（例えば、特許文献１参照）。
【０００３】
また、薄型表示装置には、前側に表示面を有する表示部と、該表示部の上部又は下部両側に相対回転を可能に設けられた取着体とを備え、前側が開放された開放縁部の両側にレールを有する収納箱の前記レールに取着体を摺動可能に嵌合することにより、表示部を取着体とともに上下に移動、及び取着体を力しとして上下に回動を可能とした薄型表示装置も知られている（例えば、特許文献２参照）。
【０００４】
図１４はブラウン管テレビが室内に配置されるときの状態を示す正面図、図１５は同じく平面図である。ところで、ブラウン管テレビ１００は前側の表示面の大きさに比べて前後に厚いため、ブラウン管テレビ１００が室内に配置される場合、室内の角部の両壁に沿う側板及び複数段の収納室を有する略三角柱形をなす収納箱１０１を前記角部に配置し、該収納箱１０１内の収納室１０１ａにビデオ装置１０２等とともに載置されることが多い。また、ブラウン管テレビ１００を視聴しているユーザが液晶テレビ等の薄型テレビに買い替える場合、今まで視聴していたテレビより１ランク、又は、２ランク大型の表示面を有する薄型テレビを購入する傾向がある。
【特許文献１】特開２００５−１３４５９１号公報
【特許文献２】特開２００１−８３８９１号公報
【発明の開示】
【発明が解決しようとする課題】
【０００５】
ところが、新たに購入した薄型テレビは今まで視聴していたブラウン管テレビより１ランク、又は、２ランク大型の表示面を有するため、この薄型テレビを既存の収納箱に収納することができないという問題がある。
【０００６】
本発明は斯かる事情に鑑みてなされたものであり、主たる目的は表示部の少なくとも下部をスタンドの前縁より前側に配置し、該表示部をスタンドの下面より上の位置、及びスタンドの下面より下の位置へ移動させるための移動手段を設けることにより、今まで視聴していたブラウン管テレビより大型の表示面を有する薄型テレビを購入した場合においても、この薄型テレビを既存の収納箱に収納することができる薄型表示装置を提供することにある。
【０００７】
また、他の目的はスタンドと表示部との間に荷重受体を取外し可能に設けることにより、荷重受体を取外すことで表示部を下の位置へ移動させることができ、表示部の位置調整を簡易に行うことができる薄型表示装置を提供することにある。
【０００８】
また、他の目的は荷重受体として、表示部及びスタンドの一方に横方向への移動を可能に保持されているピンを用いることにより、該ピンを横方向へ移動させることで表示部を下の位置へ移動させることができ、表示部の位置調整を簡易に行うことができる薄型表示装置を提供することにある。
【０００９】
また、他の目的は表示部及びスタンドの一方に回転を可能に保持する回転体と、該回転体の回転により表示部を上下に相対移動させる移動部とを設けることにより、表示部の上下位置を除々に調整することができる薄型表示装置を提供することにある。
【００１０】
また、他の目的は表示部及びスタンドの一方に回転を可能に保持する回転体を回転させる電動モータを設けることにより、電動モータの駆動回路にスイッチ、マイクロプロセッサ等の制御器を接続することで、指操作により表示部の上下位置を調整することが可能な薄型表示装置を提供することにある。
【課題を解決するための手段】
【００１１】
本発明に係る薄型表示装置は、前側に表示面を有する表示部と、該表示部を起立状態で支持するスタンドとを備える薄型表示装置において、前記表示部の少なくとも下部は前記スタンドの前縁より前側に配置してあり、該表示部を前記スタンドの下面より上の位置、及びスタンドの下面より下の位置へ移動させるための移動手段を備えることを特徴とする。
【００１２】
この発明にあっては、移動手段により表示部を上の位置と下の位置とに移動させることができるため、表示部を上の位置へ移動させることにより、表示部を床に当接させることなく床置きすることができる。また、表示部の少なくとも下部はスタンドの前縁より前側に配置してあるため、表示部を下の位置へ移動させることにより、既存の収納箱の一つの収納室にスタンドを載置し、表示部を収納箱の開放縁外部で、且つ一つの収納室の底面より下側に配することができ、表示部の一つの収納室からの出っ張り量を均等化できる。
【００１３】
また、本発明に係る薄型表示装置は、前記表示部は前記スタンドに上下動を可能に支持されており、前記移動手段は、前記スタンドと表示部との間に取外しを可能に配置してある荷重受体を有することを特徴とする。
【００１４】
この発明にあっては、荷重受体が装着されている状態では表示部が上位置にあるため、薄型表示装置を床置きすることができる。また、荷重受体を取外すことにより表示部を下の位置へ移動させることができるため、表示部の位置調整を簡易に行うことができる。
【００１５】
また、本発明に係る薄型表示装置は、前記荷重受体は前記表示部及びスタンドの一方に横方向への移動を可能に保持されているピンを用いてあることを特徴とする。
【００１６】
この発明にあっては、ピンが保持されている状態では表示部が上の位置にあるため、薄型表示装置を床置きすることができる。また、ピンを横方向へ移動させることにより表示部を下の位置へ移動させることができるため、表示部の位置調整を簡易に行うことができる。
【００１７】
また、本発明に係る薄型表示装置は、前記移動手段は前記表示部及びスタンドの一方に回転を可能に保持されている回転体と、該回転体の回転により前記表示部を上下に相対移動させる移動部とを有することを特徴とする。
【００１８】
この発明にあっては、回転体を回転操作することにより表示部を上の位置と下の位置とに移動させることができるため、表示部の上下位置を除々に調整することができ、また、移動手段の紛失を防ぐことができる。
【００１９】
また、本発明に係る薄型表示装置は、前記回転体を回転させる電動モータを備えることを特徴とする。
【００２０】
この発明にあっては、電動モータの駆動回路にスイッチ、マイクロプロセッサ等の制御器を接続することにより、指操作で表示部の上下位置を調整することが可能である。
【発明の効果】
【００２１】
以上詳述したように本発明によれば、表示部を床に当接させることなく床置きすることができ、しかも、表示部をスタンドの下面より下の位置へ移動させることができる。従って、既存の収納箱の一つの収納室にスタンドを載置し、表示部を収納箱の開放縁外部で、且つ一つの収納室の底面より下側に配することができ、表示部の一つの収納室からの出っ張り量を均等化できる。
【００２２】
また、本発明によれば、荷重受体を取外すことにより表示部を下の位置へ移動させることができるため、表示部の位置調整を簡易に行うことができる。
【００２３】
また、本発明によれば、ピンを横方向へ移動させることにより表示部を下の位置へ移動させることができるため、表示部の位置調整を簡易に行うことができる。
【００２４】
また、本発明によれば、回転体を回転操作することにより表示部を上の位置と下の位置とに移動させることができるため、表示部の上下位置を除々に調整することができるとともに、移動手段の紛失を防ぐことができる。
【００２５】
また、本発明によれば、電動モータの駆動回路にスイッチ、マイクロプロセッサ等の制御器を接続することにより、指操作で表示部の上下位置を調整することが可能である。
【発明を実施するための最良の形態】
【００２６】
以下本発明をその実施の形態を示す図面に基づいて詳述する。
実施の形態１
図１は薄型表示装置の構成を示す側面図、図２は同じく正面図、図３は同じく平面図、図４は要部の拡大断面図、図５は荷重受体の構成を示す斜視図である。図６は表示部の位置を調整した状態を示す側面図、図７は同じく正面図、図８は同じく要部の拡大断面図である。
【００２７】
図示した薄型表示装置はテレビ画像を表示する表示面を前側に有し、略直方体をなす表示部１と、該表示部１を起立状態で支持するスタンド２と、表示部１を上下に移動させるための移動手段３とを備える薄型の液晶テレビである。
【００２８】
表示部１は前側に表示面を有する液晶のパネルと、該パネルの後側に配置された光学シートと、バックライト部と、電源基板等のテレビ基板と、これらパネル等の部品を収容支持する筺体１１と、該筺体１１の後面上部で、横方向中央部に取着されているブラケット１２とを備え、表示部１のブラケット１２を除く部分、詳しくは筺体１１をスタンド２の前縁より前側に配置し、表示部１を下方へ移動させるとき、該表示部１の下部がスタンド２に当接しないようにしてあり、また、ブラケット１２がスタンド２に上下移動を可能に支持されている。
【００２９】
ブラケット１２は筺体１１の後面から後方へ延出されている横柱部１２ａと、該横柱部１２ａの後端から下方へ垂下する縦柱部１２ｂとを有し、該縦柱部１２ｂの下部に、段部１２ｃを経て小径になっている嵌合部１２ｄが設けられており、該嵌合部１２ｄが後記する筒部２２に上下移動を可能に内嵌されている。また、横柱部１２ａが筺体１１の後面に取着されている。
【００３０】
スタンド２は平面視矩形をなすベース部２１と、該ベース部２１のほぼ中央に立設されている有底の筒部２２とを有し、該筒部２２にブラケット１２の嵌合部１２ｄが上下移動を可能に内嵌されている。ベース部２１は表示部１の少なくとも下部の後面より後側となる大きさに形成されており、表示部１の荷重に対応してスタンド２の重量を設定し、表示部１の下部の後面より後側にベース部２１が配置される状態で表示部１を起立状態で支持することができるように構成してある。ベース部２１は内部に空洞を有しており、該空洞に前記テレビ基板とか、重錘とかを収容することにより、スタンド２の重量を重くしてある。
【００３１】
移動手段３は、上下に所定の長さを有する半円筒形をなし、筒部２２の上端と段部１２ｃとの間で嵌合部１２ｄに外嵌保持される荷重受体３１を用いてあり、表示部１の荷重をブラケット１２の段部１２ｃから受止めるように構成され、荷重受体３１が嵌合部１２ｄに外嵌保持されている状態では表示部１をスタンド２の下面より上の位置に維持し、荷重受体３１を取外すことにより表示部１をスタンド２の下面より下の位置へ移動させることができるようになっている。
【００３２】
荷重受体３１は嵌合部１２ｄの半周長より若干長い周長の嵌合内面を有し、嵌合部１２ｄへの嵌合により嵌合部１２ｄに保持することができ、また、嵌合部１２ｄの径方向へ引張ることにより嵌合解除することができるように構成されている。
【００３３】
以上のように構成された薄型表示装置は、筒部２２の上端と段部１２ｃとの間で嵌合部１２ｄに外嵌保持されている荷重受体３１により表示部１をスタンド２の下面より上の位置に維持してあるため、表示部１が床と上下に離隔する状態で薄型表示装置を床置きすることができる。
【００３４】
荷重受体３１を取外すことにより、荷重受体３１の上下長さ相当分だけ表示部１が下降し、該表示部１に取着されているブラケット１２の段部１２ｃが筒部２２の上端に当接し、表示部１の荷重を段部１２ｃから筒部２２で受止めることができ、表示部１をスタンド２の下面より下の位置に維持することができる。
【００３５】
このように表示部１を下の位置に維持することができるため、ブラウン管テレビを視聴しているユーザが、今まで視聴していたテレビより１ランク、又は、２ランク大型の表示面を有する薄型テレビに買い替える場合、略三角柱形をなし、室内の角部に配置される既存の収納箱内の一つの収納室に薄型テレビを収納することができる。
【００３６】
図９は薄型テレビが収納箱内に収納されている状態を示す正面図、図１０は同じく平面図である。薄型テレビは、収納箱９における一つの収納室９ａの底にスタンド２が載置され、収納箱９の開放縁外部に表示部１が配置される。この表示部１はスタンド２の下面より下の位置にあり、一つの収納室９ａの底面より下側に配することができるため、表示部１の一つの収納室９ａから上下、両側への出っ張り量を均等化できる。
【００３７】
実施の形態２
図１１は薄型表示装置の他の構成を示す要部の拡大断面図である。この薄型表示装置は、段部１２ｃをなくして縦柱部１２ｂの下部を嵌合部１２ｄとし、該嵌合部１２ｄに横方向へ貫通するピン孔を開設し、該ピン孔に頭付きのピン３２を挿脱可能に挿通保持したものである。
【００３８】
ピン３２は一端に頭部３２ａを有し、他端に抜止部材３３が嵌合されており、表示部１の荷重をブラケット１２からピン３２を経て筒部２２の上端で受止め、表示部１をスタンド２の下面より上の位置に維持し、また、ピン３２を横方向へ移動させてピン孔から抜き取ることにより、嵌合部１２ｄの下端が筒部２２の底に当接し、表示部１をスタンド２の下面より下の位置へ移動させることができるようになっている。
その他の構成及び作用は実施の形態１と同様であるため、同様の部品については同じ符号を付し、その詳細な説明及び作用効果の説明を省略する。
【００３９】
実施の形態３
図１２は薄型表示装置の他の構成を示す要部の拡大断面図である。この薄型表示装置は移動手段３として、スタンド２の筒部２２に、ナットを用いてなる回転体３４を上下方向への移動が不可で、回転のみ可能に設け、ブラケット１２の縦柱部１２ｂの下部に螺子部１２ｆを設け、該螺子部１２ｆを回転体３４の内螺子３４ａに螺合し、回転体３４を回転操作することにより、ブラケット１２を上下に相対移動させ、表示部１を上下に移動させることができるように構成したものである。尚、螺子部１２ｆは移動部を構成している。
【００４０】
筒部２２の上部には環状溝２２ａを有する小径の保持部２２ｂが設けられている。回転体３４は、保持部２２ｂに外嵌される大径内面及び該大径内面より小径の内螺子３４ａを有するナットを用てなり、大径内面部を貫通するピン孔３４ｂが設けられている。また、回転体３４は大径内面部が保持部２２ｂに外嵌された後、ピン孔３４ｂに嵌入されるピン３５の先端が環状溝２２ａに挿入され、上下方向の移動が阻止され、回転のみ可能になっている。
その他の構成及び作用は実施の形態１と同様であるため、同様の部品については同じ符号を付し、その詳細な説明及び作用効果の説明を省略する。
【００４１】
実施の形態４
図１３は薄型表示装置の他の構成を示す要部の拡大断面図である。この実施の形態では手動操作で表示部１を上下に移動させる移動手段３を備える代わりに、移動手段３は電動モータ３６を備え、該電動モータ３６の駆動回路にスイッチ、マイクロプロセッサ等の制御器が接続されている構成とし、前記スイッチのオン／オフ操作、又は前記制御器に接続される操作釦等の操作部を操作することにより前記制御器から前記駆動回路へ指令信号を出力し、電動モータ３６を駆動して表示部１を上下に移動させるように構成したものである。この場合、例えば実施の形態３（図１２）の回転体３４の外周に歯を設けて歯車とし、該歯車に噛合する歯車３７を前記電動モータ３６の出力軸に設ける。
その他の構成及び作用は実施の形態１、３と同様であるため、同様の部品については同じ符号を付し、その詳細な説明及び作用効果の説明を省略する。
【００４２】
尚、以上説明した実施の形態では表示部１がブラケット１２を備え、該ブラケット１２を介して筺体１１を支持する構成としたが、その他、ブラケット１２をなくし、筺体１１をスタンド２が支持する構成としてもよい。
【００４３】
また、本発明に係る薄型表示装置は液晶テレビである他、プラズマテレビであってもよい。
【図面の簡単な説明】
【００４４】
【図１】本発明に係る薄型表示装置の構成を示す側面図である。
【図２】本発明に係る薄型表示装置の構成を示す正面図である。
【図３】本発明に係る薄型表示装置の構成を示す平面図である。
【図４】本発明に係る薄型表示装置の要部の拡大断面図である。
【図５】荷重受体の構成を示す斜視図である。
【図６】本発明に係る薄型表示装置の表示部の位置を調整した状態を示す側面図である。
【図７】本発明に係る薄型表示装置の表示部の位置を調整した状態を示す正面図である。
【図８】本発明に係る薄型表示装置の表示部の位置を調整した状態を示す要部の拡大断面図である。
【図９】本発明に係る薄型テレビが収納箱内に収納されている状態を示す正面図である。
【図１０】本発明に係る薄型テレビが収納箱内に収納されている状態を示す平面図である。
【図１１】本発明に係る薄型表示装置の他の構成を示す要部の拡大断面図である。
【図１２】本発明に係る薄型表示装置の他の構成を示す要部の拡大断面図である。
【図１３】本発明に係る薄型表示装置の他の構成を示す要部の拡大断面図である。
【図１４】従来のブラウン管テレビが室内に配置されるときの状態を示す正面図である。
【図１５】従来のブラウン管テレビが室内に配置されるときの状態を示す平面図である。
【符号の説明】
【００４５】
１    表示部
２    スタンド
３    移動手段
３１  荷重受体
３２  ピン
３４  回転体
３６  電動モータ
１２ｆ  螺子部（移動部）
【図１】
2008072623.tif 000003
【図２】
2008072623.tif 000004
【図３】
2008072623.tif 000005
【図４】
2008072623.tif 000006
【図５】
2008072623.tif 000007
【図６】
2008072623.tif 000008
【図７】
2008072623.tif 000009
【図８】
2008072623.tif 000010
【図９】
2008072623.tif 000011
【図１０】
2008072623.tif 000012
【図１１】
2008072623.tif 000013
【図１２】
2008072623.tif 000014
【図１３】
2008072623.tif 000015
【図１４】
2008072623.tif 000016
【図１５】
2008072623.tif 000017